(57)【要約】【課題】農業用ハウスの室内を効率良く暖房できるとともに、構造が簡単で低コストで製造できる農業用ハウス暖房システムを提供する。【解決手段】農業用ハウス１００に設置される暖房ユニット１２と、ハウス室内Ｓの地面上で互いに離隔して並設される複数の樹脂製フィルム状ダクト１４と、を備え、暖房ユニット１２は、ハウス室内のハウス壁面に近接した位置で地面ＧＬから所定の高さ位置Ｈに設置され、ケース体のハウス室内側の側面の空気の入口２８からケース体内部に空気を吸込んで加温し出口３０から外へ出す暖房機本体１６と、暖房機本体１６を架台１８と、暖房機本体１６の空気の出口３０と樹脂製フィルム状ダクト１４に接続される複数の可撓ダクト２０を含み、該出口３０から樹脂製フィルム状ダクト１４までの接続長さ及び可撓ダクト２０の先端の設置位置を変更自在とする可撓ダクト接続構造２２と、を有する。【選択図】図１
2013188190.tif 000002
【特許請求の範囲】
【請求項１】
農業用ハウスに設置されハウス室内の空気を加温する暖房ユニットと、それぞれ暖房ユニットに接続されて該暖房ユニットから送られる加温された空気を多数の吹出孔からハウス室内に吹出す複数の樹脂製フィルム状ダクトであって、ハウス室内の地面上で一方向に長く敷設されるとともに互いに離隔して並設される複数の樹脂製フィルム状ダクトと、を備えた農業用ハウス暖房システムであり、
暖房ユニットは、
ハウス室内のハウス壁面に近接した位置で地面から所定の高さ位置に設置され、ケース体のハウス室内側の側面に空気の入口が設けられるとともに入口に対向する側面に空気の出口が設けられ、ハウス室内側の空気の入口からケース体内部に空気を吸込んで該空気を入口に対向した出口に向けて略横方向に流しながら加温し、加温された空気を出口からケース体外へ出す暖房機本体と、
暖房機本体を所定の高さ位置に支持する架台と、
暖房機本体のケース体の空気の出口に一端が接続され、ハウス壁面側で該出口から出る加温された空気の流れの向きを反転しハウス室内側に向けて地面に沿って誘導し、ハウス室内側で他端が樹脂製フィルム状ダクトに接続される複数の可撓ダクトを含み、該ケース体の空気の出口から樹脂製フィルム状ダクトまでの接続長さ及びハウス室内側において樹脂製フィルム状ダクトと接続される可撓ダクトの他端の設置位置を変更自在とする可撓ダクト接続構造と、を有することを特徴とする農業用ハウス暖房システム。
【請求項２】
可撓ダクト接続構造の可撓ダクトは、横倒しＵ字状に屈曲され架台の下部空間をハウス壁面側からハウス室内側に連通するように地面に這わせて配置されたことを特徴とする請求項１記載の農業用ハウス暖房システム。
【請求項３】
可撓ダクト接続構造は、Ｕ字状の屈曲端を地面に着地させて樹脂製フィルム状ダクトとの接続を保持させる接続保持部を有することを特徴とする請求項２記載の農業用ハウス暖房システム。
【請求項４】
暖房機本体を支持する架台の上面は、地面から５００〜８００ｍｍの高さに設定されることを特徴とする請求項１ないし３のいずれかに記載の農業用ハウス暖房システム。
【発明の詳細な説明】
【技術分野】
【０００１】
本発明は、農業用ハウスの室内温度を農作物に適した温度に調節、維持するための農業用ハウス暖房システムに関する。
【背景技術】
【０００２】
野菜や果物の栽培する際には、露地栽培と比較して天候に左右されにくく品質管理や作業を行いやすい等の利点からハウス栽培が行われる場合がある。また、寒い地方や冬場の寒い時期でのハウス栽培では、室内空間と外気とを遮断するだけでは農作物に適した栽培温度を維持できないため、ハウス室内の空気を暖房機で強制的に温めて、冷害等の悪影響を防止する必要がある。従来より、重油を燃料として空気を加温する暖房機が知られている。図７は、例えば、従来の暖房機の一例を示している。従来の暖房機ＨＴは、暖房機のファン等を駆動させてケース天面側からハウス室内の空気を暖房機内に吸込む。そして、暖房機内で重油等の燃料を燃焼することによって生じる熱で空気を加温し、下部側の吹出口からハウス室内に向けて吹出すものであった。しかしながら、従来の重油燃焼式の暖房機を利用したハウス栽培は、近時の温室効果ガスの排出の問題や、重油価格の高騰による農家の経済的負担の増大等の問題が深刻化している。さらに、空気を暖房機ＨＴのケース天面側から吸込んで下部側から吹出す方式では、大容量の広い空間であるハウス室内で空気が対流しにくく室内に温度ムラが生じ、効率よく暖房することが困難であった。
【０００３】
一方、熱媒のヒートポンプサイクルを利用して少ないエネルギーで熱をつくることができるヒートポンプ式の暖房機が知られている。例えば、特許文献１には、ヒートポンプ式の暖房機を園芸ハウス室内の空調に利用する技術が開示されている。特許文献１の園芸ハウス加温装置は、ケーシング（１）内を仕切板（２）によって前後に区画して後側を機械室（４）とし、前側の室（３）をさらに隔壁（５）によって上下に区画して上側を吸込チャンバー（６）、下側を吹出チャンバー（７）とし、上記機械室（４）内には、外部から供給される水から吸熱するための蒸発用熱交換器（１４）と圧縮機（１５）とを配置する一方、上記吸込チャンバー（６）には吸込口（８）を設けると共に、空気を加熱するための凝縮用熱交換器（９）を上記吸込口（８）に臨ませて配置し、また上記隔壁（５）には流通孔（１１）を穿設し、上記吸込チャンバー（７）内へと吹出すためのファン（１２）を配置すると共に、上記吹出チャンバー（７）には複数の吹出口（１３）を設けたものであった。なお、符号は特許文献１に記載されたものである。
【先行技術文献】
【特許文献】
【０００４】
【特許文献１】実開昭６２−６０８１５号公報
【発明の概要】
【発明が解決しようとする課題】
【０００５】
しかしながら、特許文献１の園芸ハウス加温装置では、ケーシング内の前側空間を隔壁で上下に区画して吸込チャンバーと吹出チャンバーを形成した構造であるが、ケーシングの構造が複雑であるとともに、ケーシングに圧縮機やその他種々の構成を機械室に一体的に組み付けているので、装置が複雑化、及び大型化、重量化、高コスト化する問題があった。また、吹出口の吹出し方向が固定されるとともに、吹出し位置がハウス室内で偏在することとなるので、大容量の広い空間であるハウス室内では空気の対流が効率良く行われにくく、温度ムラが生じ、効率良くかつ平均的に加温することが困難であった。
【０００６】
本発明は上記従来の課題に鑑みてなされたものであり、その一つの目的は、構造が簡単で低コストで製造できるとともに、ハウス室内を効率良く暖房できる農業用ハウス暖房システムを提供することにある。
【課題を解決するための手段】
【０００７】
上記課題を解決するために本発明は、農業用ハウス１００に設置されハウス室内Ｓの空気を加温する暖房ユニット１２と、それぞれ暖房ユニット１２に接続されて該暖房ユニット１２から送られる加温された空気を多数の吹出孔２４からハウス室内Ｓに吹出す複数の樹脂製フィルム状ダクト１４であって、ハウス室内Ｓの地面上で一方向に長く敷設されるとともに互いに離隔して並設される複数の樹脂製フィルム状ダクト１４と、を備えた農業用ハウス暖房システムであり、暖房ユニット１２は、ハウス室内のハウス壁面１０１に近接した位置で地面ＧＬから所定の高さ位置Ｈに設置され、ケース体２６のハウス室内側の側面に空気の入口２８が設けられるとともに入口２８に対向する側面に空気の出口３０が設けられ、ハウス室内側の空気の入口２８からケース体２６内部に空気を吸込んで該空気を入口２８に対向した出口３０に向けて略横方向に流しながら加温し、加温された空気を出口３０からケース体２６外へ出す暖房機本体１６と、暖房機本体１６を所定の高さ位置Ｈに支持する架台１８と、暖房機本体１６のケース体２６の空気の出口３０に一端が接続され、ハウス壁面１０１側で該出口３０から出る加温された空気の流れの向きを反転しハウス室内Ｓ側に向けて地面に沿って誘導し、ハウス室内側で他端が樹脂製フィルム状ダクト１４に接続される複数の可撓ダクト２０を含み、該ケース体の空気の出口３０から樹脂製フィルム状ダクト１４までの接続長さ及びハウス室内側において樹脂製フィルム状ダクト１４と接続される可撓ダクト２０の他端２０ｂの設置位置を変更自在とする可撓ダクト接続構造２２と、を有することを特徴とする農業用ハウス暖房システム１０から構成される。
【０００８】
また、可撓ダクト接続構造２２の可撓ダクト２０は、横倒しＵ字状に屈曲され架台１８の下部空間４２をハウス壁面１０１側からハウス室内Ｓ側に連通するように地面ＧＬに這わせて配置されたこととしてもよい。
【０００９】
また、可撓ダクト接続構造２２は、Ｕ字状の屈曲端を地面ＧＬに着地させて樹脂製フィルム状ダクト１４との接続を保持させる接続保持部４６を有することとしてもよい。
【００１０】
また、暖房機本体１６を支持する架台１８の上面（３８ａ）は、地面から５００〜８００ｍｍの高さに設定されることとしてもよい。暖房機本体１６の下端が地面から５００〜８００ｍｍの高さ位置に設定されるとよい。
【発明の効果】
【００１１】
本発明の農業用ハウス暖房システムによれば、農業用ハウスに設置されハウス室内の空気を加温する暖房ユニットと、それぞれ暖房ユニットに接続されて該暖房ユニットから送られる加温された空気を多数の吹出孔からハウス室内に吹出す複数の樹脂製フィルム状ダクトであって、ハウス室内の地面上で一方向に長く敷設されるとともに互いに離隔して並設される複数の樹脂製フィルム状ダクトと、を備えた農業用ハウス暖房システムであり、暖房ユニットは、ハウス室内のハウス壁面に近接した位置で地面から所定の高さ位置に設置され、ケース体のハウス室内側の側面に空気の入口が設けられるとともに入口に対向する側面に空気の出口が設けられ、ハウス室内側の空気の入口からケース体内部に空気を吸込んで該空気を入口に対向した出口に向けて略横方向に流しながら加温し、加温された空気を出口からケース体外へ出す暖房機本体と、暖房機本体を所定の高さ位置に支持する架台と、暖房機本体のケース体の空気の出口に一端が接続され、ハウス壁面側で該出口から出る加温された空気の流れの向きを反転しハウス室内側に向けて地面に沿って誘導し、ハウス室内側で他端が樹脂製フィルム状ダクトに接続される複数の可撓ダクトを含み、該ケース体の空気の出口から樹脂製フィルム状ダクトまでの接続長さ及びハウス室内側において樹脂製フィルム状ダクトと接続される可撓ダクトの他端の設置位置を変更自在とする可撓ダクト接続構造と、を有することから、暖房機本体でハウス室内側から空気を吸ってハウス室内側に反転し、地面上に並設された複数の樹脂製フィルム状ダクトから加温空気を吹出すので、ハウス室内の熱対流循環がスムーズに行われ、効率良く暖房できる。特に、可撓ダクト接続構造により、暖房ユニットと樹脂製フィルム状ダクトの配置自由度が高く、ハウスの規模や農作物の栽培位置などの条件で位置が左右される複数の樹脂製フィルム状ダクトをハウス室内の地面上のいずれの位置に敷設しても、可撓ダクトの向きや位置を自由に変更調整することで暖房ユニットと樹脂製フィルム状ダクトの接続が制限されることなく確実に接続することができる。同時に、樹脂製フィルム状ダクトに空気の流れが妨げられるような、ねじれや折れ曲がり等を生じさせずに接続することができる。その結果、大容量の広い空間であってもハウス全体の地面側から加温空気を吹出す構造を具体的に実現でき、ハウス室内を温度ムラをほとんど生じさせることなく効率良く暖房できる。また、複数の樹脂製フィルム状ダクトが地面に接触しているので、農作物が栽培されている地中をも効率良く温めることができる。したがって、良好に農作物を栽培することができる。さらに、暖房機本体を地面からある程度高い位置に支持しているので、早期に汚損したりサビつくのを防止でき、メンテナンスも行いやすく、可撓ダクト接続構造の設置や位置調整も行いやすい。
【００１２】
また、可撓ダクト接続構造の可撓ダクトは、横倒しＵ字状に屈曲され架台の下部空間をハウス壁面側からハウス室内側に連通するように地面に這わせて配置された構成とすることにより、可撓ダクト内で空気の流れを妨げることなく具体的な接続構造を実現し、加温空気をスムーズに樹脂製フィルム状ダクトに誘導できる。また、架台の下部空間のスペースを利用して可撓ダクトを効率良く、安定した状態で設置することができる。
【００１３】
また、可撓ダクト接続構造は、Ｕ字状の屈曲端を地面に着地させて樹脂製フィルム状ダクトとの接続を保持させる接続保持部を有する構成とすることにより、位置保持用の他の部材を用いることなく、簡単な構造で地面に敷設した樹脂製フィルム状ダクトとの接続を安定した状態で保持でき、樹脂製フィルム状ダクトにねじれや折れ曲がりが生じるのを防止できるうえ、可撓ダクトと樹脂製フィルム状ダクトの接続位置や向きの調整を簡単に行える。
【００１４】
また、暖房機本体を支持する架台の上面は、地面から５００〜８００ｍｍの高さに設定される構成とすることにより、架台の下部空間のスペースを利用して可撓ダクトを効率良く設置することができるとともに、暖房機本体でハウス室内に日陰をつくるほど高くは設定されないので、日照不足による生育障害や品質低下等の農作物に対する悪影響を与えることがない。
【図面の簡単な説明】
【００１５】
【図１】本発明の一実施形態に係る農業用ハウス暖房システムの平面図である。
【図２】図１の農業用ハウス暖房システムの暖房ユニットの一部拡大図である。
【図３】図１の農業用ハウス暖房システムの暖房ユニットの斜視図である。
【図４】図１の農業用ハウス暖房システムの暖房ユニットの側面図である。
【図５】図４暖房ユニットのＡ−Ａ線矢視図である。
【図６】図１の農業用ハウス暖房システムの空気の流れを示す概略説明図である。
【図７】従来の農業用ハウスの暖房機の概略図である。
【発明を実施するための形態】
【００１６】
以下添付図面を参照しつつ本発明の農業用ハウス暖房システムの実施形態について説明する。図１ないし図６は、本発明の農業用ハウス暖房システムの一実施形態を示している。本発明に係る農業用ハウス暖房システムは、例えば、野菜、果物、花等の農作物を栽培するビニールハウスや温室等の農業用ハウスの室内を暖房するものである。図１ないし図５に示すように、本実施形態において、農業用ハウス暖房システム１０は、暖房ユニット１２と、暖房ユニット１２に接続される複数の樹脂製フィルム状ダクト１４と、を備えている。暖房ユニット１２は、暖房機本体１６と、架台１８と、複数の可撓ダクト２０を含む可撓ダクト接続構造２２と、を有する。
【００１７】
本実施形態では、農業用ハウス１００は、図１、図６に示すように、例えば、周知のビニールハウスからなり、一方向に長く平面視で長方形状に設けられるとともに、屋根がアーチ状に形成されている。農業用ハウス１００は、例えば、所定の形状に組み付けられた金属フレームにポリ塩化ビニル等の透光性シートが被覆されて、農業用ハウスの４つの側壁１０１〜１０４及び屋根１０５が形成されている。農業用ハウス１００の地面には、多数の農作物Ｔが複数列状に並べて植えられて栽培される。なお、図６では、農作物Ｔがみかん等の果樹の例で示している。
【００１８】
暖房ユニット１２は、農業用ハウス１００に設置され、ハウス室内の空気を加温する暖房手段である。暖房ユニットは、例えば、農業用ハウス１００に複数個（例えば６個）設置されており、それぞれの暖房ユニット１２に複数の（例えば４本の）樹脂製フィルム状ダクト１４が接続される。暖房ユニット１２は、農業用ハウス１００の対向する長辺側の側壁のうち、一方の側壁１０１の壁面側に近接して配置されるとともに、その長手方向に向けて所定間隔で離隔して並べて設置されている。なお、暖房ユニット１２の数や、樹脂製フィルム状ダクト１４の本数は、ハウスの大きさ、農作物の種類等に応じて任意に設定するとよい。
【００１９】
樹脂製フィルム状ダクト１４は、図１、図６に示すように、それぞれ暖房ユニット１２に接続されて該暖房ユニットから送られる加温された空気を多数の吹出孔２４からハウス室内Ｓに吹出す吹出ダクトである。樹脂製フィルム状ダクト１４は、例えば、可撓性があって厚みが薄いフィルム状のポリエチレンやビニル等の軟質な合成樹脂からなり、農業用ハウス１００を横断するように一方に長い筒体状に形成され、両端が開放されている。樹脂製フィルム状ダクト１４は、例えば、ダクト内部に空気が送られていない状態では内壁どうしが重なるように平らな状態となっており、暖房ユニット１２からダクト内部に空気が送られるとその風圧で略円筒状に膨らむようになっている。樹脂製フィルム状ダクト１４の周壁には、ダクト長手方向に沿って一定間隔で多数の吹出孔２４が一列状に並んで形成されている。樹脂製フィルム状ダクト１４は、例えば、ハウス室内Ｓの地面ＧＬ上に着地した状態でダクト長手方向をハウスの短辺方向に向けて這うように敷設され、上向きに空気が吹出すように吹出孔２４を上向きにして設置される。樹脂製フィルム状ダクト１４はその長手方向全体に亘って地面に着地させて該ダクト周壁が地面と接触した状態で配置されており、ダクト内に加温空気が通過することで、ハウス室内空間と同時に地面及び地中を温めることができる。そして、複数の樹脂製フィルム状ダクト１４は、例えば、地面に複数列状に植えられる農作物Ｔの間に敷設されるように、ハウスの長手方向に向けて所定の間隔で互いに離隔して並設される。なお、図１では、複数の樹脂製フィルム状ダクト１４は、略平行状に等間隔で並設している場合を示しているが、実際には栽培する農作物の並び方や位置、種類等に応じて適宜設定されるとよい。また、樹脂製フィルム状ダクト１４の多数の吹出孔２４は、例えば、横向きに吹出すようにしてもよいし、一列に限らず複数列設けてもよい。また、多数の吹出孔２４を列状に並べずランダムに設けてもよく、吹出し方向が複数となるように設けても良い。
【００２０】
暖房ユニット１２の暖房機本体１６は、ハウス室内Ｓに設置され、ハウス室内の空気を吸って加温する暖房手段の本体部分すなわち温風形成手段である。本実施形態では、図１、図２、図４に示すように、暖房機本体１６は、ハウス室内のハウス壁面１０１に近接した位置に略等間隔で６個配置されている。それぞれの暖房機本体１６は、架台１８によって所定の高さ位置Ｈに支持され、ハウス室内側から空気を吸込むように形成される空気の入口２８の高さ位置を所定の高さに設定している。暖房機本体１６は、空気の入口２８と出口３０が設けられたケース体２６に送風機３２と熱交換器３４が組み付けられた空調室内機からなる。さらに、暖房機本体１６には、他の熱交換器や圧縮機等を組み付けてハウス室外に設置された室外機３６が接続されている。ケース体２６内の熱交換器３４と、室外機３６の他の熱交換器と、がヒートポンプサイクルを行うように熱媒配管や配線が接続されている。本実施形態では、隣接する２つの暖房機本体１６が、１つの室外機３６に接続されている。
【００２１】
図２、図３、図４に示すように、ケース体２６は、例えば、平面視長方形状となる偏平の矩形箱状（直方体状）に設けられている。ケース体２６の互いに対向する２つの側面のうち、一方の側壁に空気の入口２８が設けられ、他方の側壁に空気の出口２８が設けられている。なお、ケース体の４つの側面のうち長手の対向側面に空気の入口２８と出口３０が設けられている。ケース体２６は、入口２８をハウス室内Ｓ側に向けるとともに、その入口２８と反対面となる出口３０を該ケース体２６に近接するハウス側壁１０１に向けた状態で配置される。ケース体２６は、空気の出口３０とハウス側壁１０１との間にある程度間隔をあけて配置されており、後述の可撓ダクト２０のスペースが確保される。図５にも示すように、ケース体２６の空気の入口２８は、例えば、ケース体２６の側面の略全体を矩形状に開放して設けられている。入口２８には異物混入防止の網２９又はフィルタが張設されている。図３に示すように、ケース体２６の空気の出口２８は、例えば、ケース体２６の側面輪郭よりも小さい開口面積で該側面を貫通して、円形状に設けられている。出口２８は、１つのケース体２６に４つ設けられており、水平方向すなわちケース体の長手方向に沿って一列状に並んで形成されている。送風機３２は、例えば、ケース体内部で入口２８側に近接して設置されているシロッコファン等からなる。熱交換器３４は、例えば、室外機３６と協働してヒートポンプサイクルを構成して熱を外部に与える凝縮器からなる。熱交換器３４は、対向する入口２８と出口３０の中間位置となるケース体内部の中間位置に設置されている。暖房機本体１６は、稼動状態では、ケース体内部の送風機３２によりハウス室内側から空気を吸込む。ケース体内部では、吸込まれた空気は入口２８から該入口に対向した出口３０へ向けて略横方向状に一方向へ流れる。ケース体内部を略横方向に流れる空気は確実に熱交換器３４に接触されて該空気が加温される。加温された空気は、同送風機の風力により、出口３０からケース体外へ流れ出される。
【００２２】
架台１８は、ハウス室内Ｓに地面上に設置され、暖房機本体１６を所定の高さ位置Ｈに支持する支持手段である。図３、図４、図５に示すように、本実施形態では、架台１８は、例えば、暖房機本体のケース体２６の大きさ及び形状に合わせて台面３８ａが長方形に形成された台部３８と、台部３８の枠の隅部を支持する４本の支持脚４０と、が一体的に設けられた４つ脚の台構成となっている。架台１８は、台部の下方に略直方体状の中空空間が形成されるとともに、該中空空間の４つの側面を開放して形成されている。すなわち、架台１８は、該台部３８の真下すなわち支持する暖房機本体１６の真下に、側面を開放した中空の下部空間４２を有している。この架台１８の下部空間４２は、ハウス側壁側からハウス室内側に向けて貫通しており、この下部空間４２を利用して、後述のように可撓ダクト２０をハウス側壁側からハウス室内側に向けて通すためのスペースが確保される。架台１８は、例えば、地面ＧＬから該架台の上面（台面３８ａ）までの高さ（Ｈ）すなわち地面ＧＬから暖房機本体１６の下端までの高さ（Ｈ）が約５５ｃｍの高さに設定されている。よって、架台１８の下部空間４２の開放部分の高さは、約５５ｍｍ程度か若干低い高さとなっており、架台１８上の暖房機本体のケース体の空気の入口２８が５５ｃｍよりやや高い位置に設定される。なお、架台１８の上面の高さ位置Ｈは、例えば、地面ＧＬから５００〜８００ｍｍの高さに設定されるとよい。例えば、架台１８の上面の高さが５００ｍｍよりも低いと、架台１８の下部空間４２の高さが低くなるので、可撓ダクト２０を下部空間に設置できなくなったり、可撓ダクトを無理に屈曲させてしまって空気の流れに損失を生じさせたりするおそれがある。また、暖房機本体の空気の入口の高さ位置が低くなるので、空気の対流効率が悪くなるおそれがある。一方、架台１８の上面の高さ位置が８００ｍｍよりも高いと、暖房ユニット１２が農業用ハウス室内の地面や農作物に日陰をつくってしまい、日照不足による農作物の生育の妨げや品質低下などの悪影響を与えるおそれがある。なお、架台１８は、例えば、支持脚の長さを変更可能として、暖房機本体の高さ位置を調整できるように構成してもよい。
【００２３】
図１、図２、図３、図４に示すように、可撓ダクト接続構造２２は、暖房機本体１６から加温空気を樹脂製フィルム状ダクト１４に誘導するために、暖房機本体１６のケース体２６の空気の出口３０と複数の樹脂製フィルム状ダクト１４とを接続する接続構造である。可撓ダクト接続構造２２は、例えば、一端がケース体２６の空気の出口３０に接続され、他端が樹脂製フィルム状ダクト１４に接続される複数の可撓ダクト２０を含む。本実施形態では、１つの暖房ユニット１２では、可撓ダクト接続構造２２は、暖房機本体１６のケース体２６に設けられる４つの空気の出口３０に合わせて、４つの可撓ダクト２０を有している。上述のようにケース体２６が入口２８をハウス室内側に向け出口３０をハウス側壁１０１側に向けて設置されることにより、ハウス側壁１０１側で空気の出口３０からケース体外に流れる加温空気を、ケース体内部の空気の流れＲとは反対方向となるハウス室内Ｓ側に向けてＵターン状に反転し、ハウス室内Ｓ側に設置される樹脂製フィルム状ダクト１４に誘導する。可撓ダクト接続構造２２は、可撓ダクト２０のフレキシブルな性質により、該ケース体２６の空気の出口３０から樹脂製フィルム状ダクト１４までの接続長さ、及びハウス室内側Ｓにおいて樹脂製フィルム状ダクト１４と接続される可撓ダクトの他端２０ｂの設置位置を変更自在に構成されている。すなわち、可撓ダクト２０の長さ、他端２０ｂ側の向きや角度、図２上のｘ方向やｙ方向の設置位置等を自在に調整して、ハウス室内Ｓに並設されているそれぞれの樹脂製フィルム状ダクト１４と接続される。したがって、可撓ダクトの向きを自在に変更することで、暖房機本体１６の位置と、複数の樹脂製フィルム状ダクト１４の位置と、を厳密に設計する必要がないとともに、各樹脂製フィルム状ダクト１４の設置位置に容易に対応して接続することができる。その結果、ハウス室内への加温空気の吹出口を形成する樹脂製フィルム状ダクト１４の設置位置が暖房機本体１６の位置や農作物の植えた位置によって限定されることなく、ハウス室内全体に亘って複数の樹脂製フィルム状ダクト１４を並設して、ハウス全体に加温空気を送ることができ、ハウス室内が大容量空間であっても温度ムラを生じることなく平均的な効率良い暖房を具体的に実現できる。
【００２４】
本実施形態では、可撓ダクト２０は、例えば、自在に伸縮及び屈曲しその伸縮状態及び屈曲状態を保持することができるとともに、伸縮又は屈曲させた状態でも断面円形状のダクト内空間を保持できる金属製蛇腹管（フレキシブルダクト）からなる。可撓ダクト２０の周囲は、例えば、グラスウール等の断熱材で被覆される。図３、図４に示すように、可撓ダクト２０は、例えば、ケース体２６の空気の出口３０に接続された一端２０ａから下方に向けて屈曲されるとともに地面側でさらにハウス室内側に向けて屈曲され、側面視で横倒しＵ字状に屈曲されている。可撓ダクト２０は、そのＵ字屈曲部分２０ｕからハウス室内Ｓ側に延びるダクト中間部分２０ｃを架台１８の下部空間４２にハウス側壁側からハウス室内側に向けて連通させ、地面ＧＬに這うように着地状態で配設される。可撓ダクトの他端２０ｂは、例えば、架台１８の下部空間４２のハウス室内Ｓ側の開放側面から下部空間４２外部に向けて突出されている。可撓ダクト２０の他端２０ｂでは、上述のように自在に伸縮、屈曲させてその向きや位置を自由に変更させて、任意の位置に配置される樹脂製フィルム状ダクト１４と接続される。可撓ダクト２０は、ハウス壁面１０１側からハウス室内Ｓ側に延びるダクト中間部分２０ｃの地面ＧＬへ着地させている。さらに、可撓ダクト２０のＵ字状の屈曲端（２０ｂ側）を地面ＧＬに着地させており、地面上に設置されている樹脂製フィルム状ダクト１４との接続を保持させる接続保持部４６が構成される。すなわち、可撓ダクト接続構造２２は、可撓ダクト２０のＵ字状の屈曲端を地面ＧＬに着地させて樹脂製フィルム状ダクト１４との接続を保持させる接続保持部４６を有している。なお、可撓ダクトの他端２０ｂは、樹脂製フィルム状ダクト１４の一端の開口に差し込まれ、外部から金属製の接続リング４４を介して樹脂製フィルム状ダクト１４と略気密状態で連結されている。
【００２５】
次に、本実施形態に係る農業用ハウス暖房システムの作用について説明する。ハウス暖房システム１０を構築する際には、例えば、農業ハウス１００に並んで栽培されている農作物Ｔの間に、図１のように複数の樹脂製フィルム状ダクト１４が並設される。ハウス側壁１０１に近接した位置に暖房ユニット１２が所定間隔で並設される。なお、暖房ユニット１２では、暖房機本体１６を支持している架台１８の高さは約５５ｃｍ程度に設定されており、農作物に日陰をつくるおそれがないような高さとなっている。可撓ダクト接続構造２２の可撓ダクト２０は、暖房機本体１６の空気出口３０に接続されて横倒しＵ字状に屈曲されて、架台の下部空間を通して他端をハウス室内側に向けて配設されており、可撓ダクトの長さや端部２０ｂの位置を変更したり、吹出し方向を変更して調整することで、所定の位置の樹脂製フィルム状ダクト１４に接続される。この際、可撓ダクト接続構造２２の接続保持部４６により可撓ダクトの地面ＧＬへの着地で樹脂製フィルム状ダクト１４との接続が保持される。これにより、可撓ダクト接続構造２２により接続構造の自由度が高いので樹脂製フィルム状ダクト１４の設置位置に制限されることがなく、ハウス室内の地面全体に亘って並設させた複数の樹脂製フィルム状ダクトと確実に接続できる。また、農作物の植える位置等により樹脂製フィルム状ダクトの位置が変わっても、樹脂製フィルム状ダクトの位置に対応して簡単かつ自在に調整して接続できる。なお、複数の樹脂製フィルム状ダクトを平行状に並設するものに限らず、ダクト長手方向の向きがそれぞれ異なるように互いに斜めに敷設してもよい。この場合でも可撓ダクトの方向を変更して樹脂製フィルム状ダクトと簡単に接続できる。
【００２６】
農業用ハウス暖房システムを稼働させると、図６に示すように、暖房機本体１６では、ハウス室内側から空気を吸込み、そのケース体内部を略横方向に流れながら加温される。その加温空気は、暖房機本体の空気の出口３０から可撓ダクト２０に流れ、該可撓ダクト２０により反転されてハウス室内側に誘導されて、樹脂製フィルム状ダクト１４内に吹き込まれる。そして、加温空気は樹脂製フィルム状ダクトの吹出孔２４からハウス室内に吹出され、ハウス室内を上昇していく。暖房機本体１６の空気の入口がハウス室内側に向けて設定されるとともに地面からある程度高い位置に設置されているので、ハウス室内側の比較的温められた空気を吸込んでさらに加温するので熱効率が良く早期にハウス室内の温度を上昇できる。このように、ハウス室内側から空気を吸込んで、暖房ユニット１２により加温空気を形成しつつ、ハウス室内側に反転し、地面側に並設した樹脂製フィルム状ダクト１４から加温空気を吹出すことにより、大容量のハウス室内空間で空気を効率良く対流させながら加温して、温度ムラを生じることなく、効率良い暖房を実現できる。また、複数の樹脂製フィルム状ダクト１４がハウスの地面に接触して敷設されているので、地面、地中をも効率良く温めることができる。したがって、農作物を良好に栽培することができる。
【００２７】
以上説明した本発明の農業用ハウス暖房システムは、上記した実施形態のみの構成に限定されるものではなく、特許請求の範囲に記載した本発明の本質を逸脱しない範囲において、任意の改変を行ってもよい。
【産業上の利用可能性】
【００２８】
本発明の農業用ハウス暖房システムは、例えば、野菜、果物、花卉等の農作物を栽培するビニールハウスや温室等の農業用ハウスに適用できる。
【符号の説明】
【００２９】
１０  農業用ハウス暖房システム
１２  暖房ユニット
１４  樹脂製フィルム状ダクト
１６  暖房機本体
１８  架台
２０  可撓ダクト
２２  可撓ダクト接続構造
２４  吹出孔
２６  ケース体
２８  入口
３０  出口
４２  下部空間
４６  接続保持部
【図１】
2013188190.tif 000003
【図２】
2013188190.tif 000004
【図３】
2013188190.tif 000005
【図４】
2013188190.tif 000006
【図５】
2013188190.tif 000007
【図６】
2013188190.tif 000008
【図７】
2013188190.tif 000009